(57)【要約】【課題】  固液混合物の性状の変化に対応できる圧送装置とその圧送方法を提供しようとする。【解決手段】  従来の固液混合物または流動体を圧送する圧送装置にかわって、長手方向に延びる中空空間と該中空空間の側部に固液混合物または流動体の入る入口と該中空空間の端部に固液混合物または流動体の出る出口とを設けられたシリンダと、前記長手方向に沿ったストロークを往復自在に前記中空空間に嵌合したピストンと、を備え、前記ピストンをＮ個のストロークだけ移動させた後で一時停止させる工程を所定のタイミング毎に繰り返す、ものとした。【選択図】    図３
2005337558.tif 000002
【特許請求の範囲】
【請求項１】
固液混合物または流動体を圧送する圧送装置であって、
長手方向に延びる中空空間と該中空空間の側部に固液混合物または流動体の入る入口と該中空空間の端部に固液混合物または流動体の出る出口とを設けられたシリンダと、
前記長手方向に沿ったストロークを往復自在に前記中空空間に嵌合したピストンと、
を備え、
前記ピストンをＮ個のストロークだけ移動させた後で一時停止させる工程を所定のタイミング毎に繰り返す、
ことを特徴とする圧送装置。  
【請求項２】
前記所定のタイミングが一定の時間間隔のタイミングである。
ことを特徴とする請求項１に記載の圧送装置。
【請求項３】
固液混合物または流動体を圧送する圧送方法であって、
長手方向に延びる中空空間と該中空空間の側部に固液混合物または流動体の入る入口と該中空空間の端部に固液混合物または流動体の出る出口とを設けられたシリンダと前記長手方向に沿ったストロークを往復自在に前記中空空間に嵌合したピストンとを有する圧送装置を準備する圧送装置準備行程と、
前記ピストンをＮ個のストロークだけ移動させた後で一時停止させるピストン移動工程と、
を備え、
前記ピストン移動工程を所定のタイミング毎に繰り返す、
ことを特徴とする圧送方法。
【請求項４】
前記所定のタイミングが一定の時間間隔のタイミングである、
ことを特徴とする請求項３に記載の圧送方法。
【請求項５】
固液混合物または流動体を焼却する焼却装置であって、
長手方向に延びる中空空間と該中空空間の側部に固液混合物または流動体の入る入口と該中空空間の端部に固液混合物または流動体の出る出口とを設けられたシリンダと前記長手方向に沿ったストロークを往復自在に前記中空空間に嵌合したピストンとを有する圧送装置と、
前記圧送装置の出口から圧送される固液混合物または流動体を投入口から受け入れて焼却する焼却炉と、
を備え、
前記ピストンをＮ個のストロークだけ移動させた後で一時停止させる工程を所定のタイミング毎に繰り返し、
前記所定のタイミングが前記焼却炉の前記投入口での炉内温度を所定の値に維持する様にするタイミングである、
ことを特徴とする焼却装置。
【発明の詳細な説明】
【技術分野】
【０００１】
本発明は、固液混合物または流動体を圧送する圧送装置とその圧送方法、また固液混合物または流動体を焼却する焼却装置に係る。特に性状が変化する固液混合物または流動体を圧送するのに好適な圧送装置とその圧送方法、また性状の変化する固液混合物または流動体を焼却するのに好適な焼却装置に関する。
【背景技術】
【０００２】
産業廃棄物等の固液混合物または流動体を搬送するのに、ピストンシリンダ形式の容積ポンプを用いられる。容積ポンプは、特に抵抗の大きな固液混合物または流動体を圧送するのに優れる。
例えば、ピストンシリンダ形式の容積ポンプが、産業廃棄物の処理設備で用いられる。
【０００３】
以下に、産業廃棄物の処理設備とそこで用いられえるピストンシリンダ形式の容積ポンプを採用した圧送装置を説明する。
産業廃棄物が溶剤等の危険物である場合、溶剤等の危険物の入ったドラム缶を窒素雰囲気中で安全に破砕し、その破砕物をミキサ内で混練りし性状を均一化した後、圧送装置により焼却炉まで搬送し、燃焼炉で燃焼する。
ピストンポンプにより定量供給されるので、処理物の発熱量が平準化し、燃料炉は安定した連続操業ができる。
【０００４】
従来、ピストンポンプは油圧で駆動され、ピストンを所定のストロークで連続的に往復運動させる。
固液混合物または流動体の性状は時々変化するので、ピストンポンプで圧送する際の抵抗力も時々変化する。
そのため、一定の力でピストンを作動させた場合に、ピストンが１個のストロークを移動するのに要する時間が変動する。
その結果、燃焼炉へ供給する固液混合物または流動体の量が変動して、炉内温度が平均温度を中心に変動する現象が生じる。
燃焼炉の炉内温度の許容最大温度は、炉壁を構成する素材の耐熱温度により所定の温度（例えば、１２００℃）に定まる。
また、燃焼炉の炉内温度の許容最小温度は、操業上の維持すべき炉内温度により所定の温度（例えば、９５０℃）に定まる。
【０００５】
【特許文献１】特公平５−５１０６７号公報
【非特許文献１】松田、山梨、杉下、阿部、「ドラム缶破砕・焼却炉投入システムの概要と運転状況」、第１２回環境工学総合シンポジューム、２００２年７月
【非特許文献２】大倉、倉持、「「産業廃棄物のポンプ圧送」−ドイツでの実情を視察して−」、産業と環境、２０００年8月  ｐ．７０−７３
【発明の開示】
【発明が解決しようとする課題】
【０００６】
上述のように作業廃棄物等の固液混合物または流動体を圧送する圧送装置とその圧送方法または、固液混合物または流動体を焼却する焼却装置とその焼却方法において、固液混合物または流動体の性状の変化に対応できる圧送装置、圧送方法、焼却装置または焼却方法を提供したいという要請があった。
【０００７】
本発明は以上に述べた問題点に鑑み案出されたもので、固液混合物または流動体の性状の変化に対応できる圧送装置とその圧送方法、また固液混合物または流動体の性状の変化に対応できる焼却装置とその焼却方法を提供しようとする。
【課題を解決するための手段】
【０００８】
上記目的を達成するため、本発明に係る固液混合物または流動体を圧送する圧送装置を、長手方向に延びる中空空間と該中空空間の側部に固液混合物または流動体の入る入口と該中空空間の端部に固液混合物または流動体の出る出口とを設けられたシリンダと、前記長手方向に沿ったストロークを往復自在に前記中空空間に嵌合したピストンと、を備え、前記ピストンをＮ個のストロークだけ移動させた後で一時停止させる工程を所定のタイミング毎に繰り返す、ものとした。
ここで、Ｎは、１、２、３、・・・等の整数である。
【０００９】
上記本発明の構成により、シリンダが長手方向に延びる中空空間と該中空空間の側部に固液混合物または流動体の入る入口と該中空空間の端部に固液混合物または流動体の出る出口とを設けられ、ピストンが前記長手方向に沿ったストロークを往復自在に前記中空空間に嵌合し、前記ピストンをＮ個のストロークだけ移動させた後で一時停止させる工程を所定のタイミング毎に繰り返すので、所定のタイミングを選択することにより、単位時間当たりに圧送する固液混合物または流動体の容積を調整できる。
【００１０】
さらに、本発明の実施形態に係る圧送装置は、前記所定のタイミングが一定の時間間隔のタイミングである。
上記本発明の構成により、前記ピストンをＮ個のストロークだけ移動させた後で一時停止させる工程を一定の時間間隔のタイミング毎に繰り返すので、単位時間当たりに圧送する固液混合物または流動体の容積を一定に調整できる。
【００１１】
また、上記目的を達成するため、本発明に係る固液混合物または流動体を圧送する圧送方法を、長手方向に延びる中空空間と該中空空間の側部に固液混合物または流動体の入る入口と該中空空間の端部に固液混合物または流動体の出る出口とを設けられたシリンダと前記長手方向に沿ったストロークを往復自在に前記中空空間に嵌合したピストンとを有する圧送装置を準備する圧送装置準備行程と、前記ピストンをＮ個のストロークだけ移動させた後で一時停止させるピストン移動工程と、を備え、前記ピストン移動工程を所定のタイミング毎に繰り返す、ものとした。
【００１２】
上記本発明の構成により、圧送装置がシリンダとピストンを有し、前記シリンダが長手方向に延びる中空空間と該中空空間の側部に固液混合物または流動体の入る入口と該中空空間の端部に固液混合物または流動体の出る出口とを設けられ、前記ピストンが前記長手方向に沿ったストロークを往復自在に前記中空空間に嵌合し、前記ピストンをＮ個のストロークだけ移動させた後で一時停止させる工程を所定のタイミング毎に繰り返すので、所定のタイミングを選択することにより、単位時間当たりに圧送する固液混合物または流動体の容積を調整できる。
【００１３】
さらに、本発明の実施形態に係る圧送方法は、前記所定のタイミングが一定の時間間隔のタイミングである。
上記本発明の構成により、前記ピストンをＮ個のストロークだけ移動させた後で一時停止させる工程を一定の時間間隔のタイミング毎に繰り返すので、単位時間当たりに圧送する固液混合物または流動体の容積を一定に調整できる。
【００１４】
また、上記目的を達成するため、本発明に係る固液混合物または流動体を焼却する焼却装置を、長手方向に延びる中空空間と該中空空間の側部に固液混合物または流動体の入る入口と該中空空間の端部に固液混合物または流動体の出る出口とを設けられたシリンダと前記長手方向に沿ったストロークを往復自在に前記中空空間に嵌合したピストンとを有する圧送装置と、前記圧送装置の出口から圧送される固液混合物または流動体を投入口から受け入れて焼却する焼却炉と、を備え、前記ピストンをＮ個のストロークだけ移動させた後で一時停止させる工程を所定のタイミング毎に繰り返す、ものとした。
【００１５】
上記本発明の構成により、圧送装置がシリンダとピストンを有し、前記シリンダが長手方向に延びる中空空間と該中空空間の側部に固液混合物または流動体の入る入口と該中空空間の端部に固液混合物または流動体の出る出口とを設けられ、前記ピストンが前記長手方向に沿ったストロークを往復自在に前記中空空間に嵌合し、焼却炉が前記圧送装置の出口から圧送される固液混合物または流動体を投入口から受け入れて焼却し、前記ピストンをＮ個のストロークだけ移動させた後で一時停止させる工程を所定のタイミング毎に繰り返すので、所定のタイミングを選択することにより、単位時間当たりに焼却する固液混合物または流動体の容積を調整できる。
【００１６】
さらに、本発明の実施形態に係る焼却装置は、前記所定のタイミングが一定の時間間隔のタイミングである。
上記本発明の構成により、前記ピストンをＮ個のストロークだけ移動させた後で一時停止させる工程を一定の時間間隔のタイミング毎に繰り返すので、単位時間当たりに焼却する固液混合物または流動体の容積を一定に調整できる。
【００１７】
さらに、本発明の実施形態に係る焼却装置は、前記所定のタイミングが前記焼却炉の前記投入口での炉内温度を所定の値に維持する様にするタイミングである。
上記本発明の構成により、前記ピストンをＮ個のストロークだけ移動させた後で一時停止させる工程を前記焼却炉の前記投入口での炉内温度を所定の値に維持する様にするタイミング毎に繰り返すので、前記炉内温度を所定の範囲内に維持可能になる。
【００１８】
また、上記目的を達成するため、本発明に係る固液混合物または流動体を焼却する焼却方法を、長手方向に延びる中空空間と該中空空間の側部に固液混合物または流動体の入る入口と該中空空間の端部に固液混合物または流動体の出る出口とを設けられたシリンダと前記長手方向に沿ったストロークを往復自在に前記中空空間に嵌合したピストンとを有する圧送装置を準備する圧送装置準備工程と、前記圧送装置の出口から圧送される固液混合物または流動体を投入口から受け入れて焼却する焼却炉を準備する焼却炉準備工程と、前記ピストンをＮ個のストロークだけ移動させた後で一時停止させるピストン移動工程と、を備え、前記ピストン移動工程を所定のタイミング毎に繰り返す、ものとした。
【００１９】
上記本発明の構成により、圧送装置がシリンダとピストンを有し、前記シリンダが長手方向に延びる中空空間と該中空空間の側部に固液混合物または流動体の入る入口と該中空空間の端部に固液混合物または流動体の出る出口とを設けられ、前記ピストンが前記長手方向に沿ったストロークを往復自在に前記中空空間に嵌合し、焼却炉が前記圧送装置の出口から圧送される固液混合物または流動体を投入口から受け入れて焼却し、前記ピストンをＮ個のストロークだけ移動させた後で一時停止させる工程を所定のタイミング毎に繰り返すので、所定のタイミングを選択することにより、単位時間当たりに焼却する固液混合物または流動体の容積を調整できる。
【００２０】
さらに、本発明の実施形態に係る焼却方法は、前記所定のタイミングが一定時間毎のタイミングである。
上記本発明の構成により、前記ピストンをＮ個のストロークだけ移動させた後で一時停止させる工程を一定の時間間隔のタイミング毎に繰り返すので、単位時間当たりに焼却する固液混合物または流動体の容積を一定に調整できる。
【００２１】
さらに、本発明の実施形態に係る焼却方法は、前記所定のタイミングが前記焼却炉の前記投入口での炉内温度を所定の値に維持する様にするタイミングである。
上記本発明の構成により、前記ピストンをＮ個のストロークだけ移動させた後で一時停止させる工程を前記焼却炉の前記投入口での炉内温度を所定の値に維持する様にするタイミング毎に繰り返すので、前記炉内温度を所定の範囲内に維持可能になる。
【発明の効果】
【００２２】
以上説明したように本発明の固液混合物または流動体を圧送する圧送装置とその圧送方法は、その構成により、以下の効果を有する。
ピストンがシリンダの中空空間に嵌合して所定の距離のストロークを往復自在であり、前記ピストンをＮ個のストロークだけ移動させた後で一時停止させる工程を所定のタイミング毎に繰り返すので、所定のタイミングを選択することにより、単位時間当たりに圧送する固液混合物または流動体の容積を調整できる。
また、前記ピストンをＮ個のストロークだけ移動させた後で一時停止させる工程を一定の時間間隔のタイミング毎に繰り返すので、単位時間当たりに圧送する固液混合物または流動体の容積を一定に調整できる。
【００２３】
また、以上説明したように本発明の固液混合物または流動体を焼却する焼却装置とその焼却方法は、その構成により、以下の効果を有する。  
ピストンがシリンダの中空空間に嵌合して所定のストロークを往復自在になった圧送装置と圧送された固液混合物または流動体を燃焼する燃焼炉を用意し、前記ピストンをＮ個のストロークだけ移動させた後で一時停止させる工程を所定のタイミング毎に繰り返すので、所定のタイミングを選択することにより、単位時間当たりに燃焼する固液混合物または流動体の容積を調整できる。
また、前記ピストンをＮ個のストロークだけ移動させた後で一時停止させる工程を一定の時間間隔のタイミング毎に繰り返すので、単位時間当たりに燃焼するする固液混合物または流動体の容積を一定に調整できる。
また、前記ピストンをＮ個のストロークだけ移動させた後で一時停止させる工程を前記焼却炉の前記投入口での炉内温度を所定の値に維持する様にするタイミング毎に繰り返すので、前記炉内温度を所定の範囲内に維持可能になる。
従って、固液混合物または流動体の性状の変化に対応できる圧送装置とその圧送方法、また固液混合物または流動体の性状の変化に対応できる焼却装置を提供できる。
【発明を実施するための最良の形態】
【００２４】
以下、本発明を実施するための最良の形態を、図面を参照して説明する。なお、各図において、共通する部分には同一の符号を付し、重複した説明を省略する。
【００２５】
本発明の実施形態に係る固液混合物または流動体を焼却する焼却装置、および固液混合物または流動体を圧送する圧送装置を説明する。
図１は、本発明の実施形態に係る燃焼装置の系統図である。図２は、本発明の実施形態に係る圧送装置の構造図である。図３は、本発明の実施形態に係る圧送装置のタイムチャート図である。
例えば、固液混合物または流動体がコンテナ２やドラム缶１に入った産業廃棄物と廃液の混合した物である場合を例に、説明する。
【００２６】
焼却装置４は、固液混合物または流動体を焼却する装置であって、ドラム缶投入ライン１０とコンテナ投入ライン２０と廃液投入ライン３０とインターロッキングチャンバ４０と破砕機５０とミキサ６０と圧送装置７０と圧送配管８０と焼却炉９０とで構成される。
【００２７】
ドラム缶投入ライン１０は、ドラム缶１に封入された産業廃棄物をドラム缶１ごとインターロッキングチャンバ４０の入口へ投入するラインである。
ハンドリング装置が、産業廃棄物の封入されたドラム缶１を後述するインターロッキングチャンバ４０の入口へ投入する。
【００２８】
コンテナ投入ライン２０は、コンテナ２に封入された産業廃棄物をコンテナ２ごとインターロッキングチャンバ４０の入口へ投入するラインである。
ハンドリング装置が、産業廃棄物の封入されたコンテナ２を後述するインターロッキングチャンバ４０の入口へ投入する。
【００２９】
廃液投入ライン３０は、廃液３を後述するミキサ６０に投入するラインである。廃液受入槽が、廃液３を受け入れた後、廃液３を配管を介してミキサ６０に投入する。
【００３０】
インターロッキングチャンバ４０は、産業廃棄物の封入されたドラム缶と産業廃棄物の封入されたコンテナとを受け入れる。
インターロッキングチャンバ４０の入口が、ロッキングゲートを介して外界と通している。
インターロッキングチャンバ４０の出口が、破砕機５０の入口と連通する。
インターロッキングチャンバ４０の内部が窒素で置換され、酸素が可燃限界酸素濃度以下になると、破砕機５０につながる出口が開放される。
【００３１】
破砕機５０は、ドラム缶またはコンテナを破砕する装置であり、例えば、二軸破砕機である。産業廃棄物が、ドラム缶またはコンテナごと破砕されて、出口からミキサ６０へ入る。
【００３２】
ミキサ６０は、産業廃棄物と廃液を混合して固液混合物を作る。さらに、ミキサ６０は、混合を繰り返して、搬送可能な性状と処理物の発熱量を平準化し、さらに化学反応による固化を防止する。ミキサ内重量、油圧モータ駆動圧力内部の監視を行い、処理物の性状を制御する。
【００３３】
圧送装置７０は、本発明の実施形態に係る圧送装置である。
圧送装置７０は、固液混合物または流動体を圧送する装置であり、シリンダ７１とピストン７２と油圧駆動機構７３とコントローラ７４とゲートバルブ７５で構成される。
シリンダ７１は、長手方向に延びる中空空間Ｈと中空空間Ｈの側部に固液混合物または流動体の入る入口О１と中空空間Ｈの端部に固液混合物または流動体の出る出口О２とを設けられる。
【００３４】
ピストン７２は、シリンダの長手方向に沿ったストロークを往復自在に前記中空空間に嵌合した部材である。
例えば、中空空間Ｈが円柱状の空間であり、ピストン７２が中空空間Ｈに嵌合する円筒形を有する。
ここで、ピストン７２の１ストロークは距離Ｓである。ピストン７２の前部が、ストロークの後端Ｅ１から前端Ｅ２に移動すると、ピストン７２とシリンダ７１とで囲われる空間の容積が最大から最小へ変化する。ピストン７２の前部が、ストロークの前端Ｅ２から後端Ｅ１に移動すると、ピストン７２とシリンダ７１とで囲われる空間の容積が最小から最大へ変化する。ピストン７２が１往復すると、２ストロークだけ移動し中空空間Ｈの固液混合物または流動体が圧送される。
【００３５】
油圧駆動機構７３は、油圧力によりピストン７２を往復移動させる。油圧駆動機構７３は、スタート信号を受けるとピストン７２をＮ個のストロークだけ移動させた後で一時停止させる。
Ｎは、整数であり、例えば１、２、３、・・・である。
Ｎ＝１である場合、ピストン７２をストロークの後端Ｅ１から前端Ｅ２へ移動させた後で一時停止する。
Ｎ＝２である場合、ピストン７２をストロークを後端Ｅ１から前端Ｅ２へ移動しさらに前端Ｅ２から後端Ｅ２へ移動させた後で一時停止する。
Ｎ＝３、４となる毎にストロークの数が増える。
【００３６】
コントローラ７４は、油圧駆動機構７３にスタート信号を出力する装置である。コントローラ７４は、所定のタイミング毎にスタート信号を出力する。
従って、前記ピストンをＮ個のストロークだけ移動させた後で一時停止させる工程を所定のタイミング毎に繰り返す。
所定のタイミングは、圧送装置または燃焼装置に対する運用要求により定まる。
例えば、所定のタイミングが一定の時間のタイミングである。この様にすると、精度よく定量供給ができるので、単位容積当たりの熱量が安定している場合に、単位時間当たりに焼却炉へ供給する熱量が安定し、投入口での炉内温度が安定する。
また例えば、所定のタイミングが前記焼却炉の前記投入口での炉内温度を所定の値に維持する様にするタイミングであるの。この様にすると、焼却炉へ圧送する固液混合物または流動体の量をコントロールして炉内温度を所定の値に維持できる。
また例えば、所定のタイミングが単位時間当たりに圧送する固液混合物または流動体の熱量が一定になる様になるタイミングである。この様にすると、焼却炉へ圧送する固液混合物または流動体の熱量を一定にして炉内温度を所定の値に維持できる。
【００３７】
ゲートバルブ７５は、シリンダ７１の出口О２を開閉するゲート式のバルブである。ゲートバルブ７５は、ピストン７２の往復移動にタイミングを合わせて出口О２を開閉する。
【００３８】
圧送配管８０は、圧送装置７０の出口から出た固液混合物または流動体を焼却炉の投入口へ案内する配管である。
【００３９】
焼却炉９０は、圧送装置の出口から圧送される固液混合物または流動体を投入口から受け入れて焼却する炉であり、投入口９１とロータリーキルン９２と冷却搭９３とダストフィルタ９４とで構成される。
投入口９１は、固液混合物または流動体を受け入れる口である。
ロータリーキルン９２は、固液混合物または流動体を燃焼させて燃焼排ガスを排出する回転式の炉である。
冷却塔９３は、燃焼排ガスを冷却させる搭である。
ダストフィルタ９４は、燃料排ガス中のダストを捕集するフィルタである。
【００４０】
以下に、本発明の実施形態に係る固液混合物または流動体を圧送する圧送方法、及び固液混合物または流動体を焼却する焼却方法を、図を基に、説明する。
図４は、本発明の実施形態に係る圧送方法のフローチャート図である。
圧送方法は、固液混合物または流動体を圧送する方法であって、圧送装置準備工程Ｓ１０とピストン移動工程Ｓ３０とで構成され、ピストン移動工程Ｓ３０を所定のタイミング毎に繰り返す。
焼却方法は、固液混合物または流動体を焼却する方法であって、圧送装置準備工程Ｓ１０と焼却炉準備工程Ｓ２０とピストン移動工程Ｓ３０とで構成され、ピストン移動工程を所定のタイミング毎に繰り返す。
圧送装置準備工程Ｓ１０は、圧送装置を準備する工程である。
圧送装置の構造は、本発明の実施形態に係る圧送装置の構造と同じなので、説明を省略する。
焼却炉準備工程Ｓ２０は、焼却炉を準備する工程である。
焼却炉の構造は、本発明の実施形態に係る焼却炉の構造と同じなので、説明を省略する。
【００４１】
ピストン移動工程Ｓ３０は、前記ピストンをＮ個のストロークだけ移動させた後で一時停止させる。
Ｎは、整数であり、例えば１、２、３、・・・である。
Ｎ＝１である場合、ピストン７２をストロークの一端から他端へ移動させた後で一時停止する。
Ｎ＝２である場合、ピストン７２をストロークを一端から他端へ移動しさらに他端から一端へ移動させた後で一時停止する。
Ｎ＝３、４となる毎にストロークの数が増える。
【００４２】
所定のタイミングは、圧送装置または燃焼装置に対する運用要求により定まる。
例えば、所定のタイミングが一定の時間のタイミングである。この様にすると、精度よく定量供給ができるので、単位容積当たりの熱量が安定している場合に、単位時間当たりに焼却炉へ供給する熱量が安定し、投入口での炉内温度が安定する。
また例えば、所定のタイミングが前記焼却炉の前記投入口での炉内温度を所定の値に維持する様にするタイミングである。この様にすると、焼却炉へ圧送する固液混合物または流動体の量をコントロールして炉内温度を所定の値に維持できる。
また例えば、所定のタイミングが単位時間当たりに圧送する固液混合物または流動体の熱量が一定になる様になるタイミングである。この様にすると、焼却炉へ圧送する固液混合物または流動体の熱量を一定にして炉内温度を所定の値に維持できる。
【００４３】
上述の実施形態の圧送装置と圧送方法とを用いれば、以下の効果を発揮できる。  
圧送装置にシリンダピストン式を採用し、ピストンをＮ＝１、２、３、・・・個のストロークだけ移動させた後で一時停止させる工程を所定のタイミング毎に繰り返すので、所定のタイミングを調整することで、単位時間ごとの圧送する量を調整できる。
また、ピストンをＮ＝１、２、３、・・・個のストロークだけ移動させた後で一時停止させる工程を一定の時間タイミング毎に繰り返すので、単位時間ごとの圧送する量を一定にできる。
【００４４】
上述の実施形態の焼却装置と焼却方法を用いれば、以下の効果を発揮できる。
圧送装置にシリンダピストン式を採用し、圧送装置により圧送した固液混合物または流動体を燃料炉の投入口へ投入する様にして、ピストンをＮ＝１、２、３、・・・個のストロークだけ移動させた後で一時停止させる工程を所定のタイミング毎に繰り返すので、所定のタイミングを調整することで、単位時間ごとの圧送する量を調整できる。
また、ピストンをＮ＝１、２、３、・・・個のストロークだけ移動させた後で一時停止させる工程を一定の時間タイミング毎に繰り返すので、単位時間ごとの圧送する量を一定にできる。
また、ピストンをＮ＝１、２、３、・・・個のストロークだけ移動させた後で一時停止させる工程を焼却炉の投入口での炉内温度を所定の値に維持する様にするタイミング毎に繰り返すので、単位時間ごとの圧送する量を一定にできる。
また、ピストンをＮ＝１、２、３、・・・個のストロークだけ移動させた後で一時停止させる工程を単位時間当たりに圧送する固液混合物または流動体の熱量が一定になる様になるタイミング毎に繰り返すので、単位時間ごとの圧送する量を一定にできる。
【００４５】
本発明は以上に述べた実施形態に限られるものではなく、発明の要旨を逸脱しない範囲で各種の変更が可能である。
【図面の簡単な説明】
【００４６】
【図１】本発明の実施形態に係る燃焼装置の系統図である。
【図２】本発明の実施形態に係る圧送装置の構造図である。
【図３】本発明の実施形態に係る圧送装置のタイムチャート図である。
【図４】本発明の実施形態に係る圧送方法のフローチャート図である。
【符号の説明】
【００４７】
Ｅ１    ストロークの後端
Ｅ２    ストロークの前端
О１    入口
О２    出口
Ｓ    ストローク
Ｈ    中空空間
１    ドラム缶
２    コンテナ
３    廃液
４    焼却装置
１０    ドラム缶投入ライン
２０    コンテナ投入ライン
３０    廃液投入ライン
４０    インターロッキングチャンバ
５０    破砕機
６０    ミキサ
７０    圧送装置
７１    シリンダ
７２    ピストン
７３    油圧駆動機構
７４    コントローラ
７５    ゲートバルブ
８０    圧送配管
９０    焼却炉
９１    投入口
９２    ロータリーキルン
９３    冷却搭
９４    ダストフィルタ
Ｓ１０    圧送装置準備工程
Ｓ２０    焼却炉準備工程
Ｓ３０    ピストン移動工程
【図１】
2005337558.tif 000003
【図２】
2005337558.tif 000004
【図３】
2005337558.tif 000005
【図４】
2005337558.tif 000006